(57)【要約】【課題】所望の機器と確実に通信を行うことができること。【解決手段】複数（図１では３つ）の無線端末装置１ａ〜１ｃと、検出装置２とを有している。無線端末装置１ａ〜１ｃは、それぞれ以下の方法により検出装置２と通信を行う。検出装置２は、検出手段３とパルス出力手段４とを有している。検出手段３は、無線端末装置１ａ〜１ｃを検出する。パルス出力手段４は、当該検出装置２固有のパルスを検出した無線端末装置１ａに出力する。無線端末装置１ａ〜１ｃは、それぞれ、パルス検出手段５と通信手段６とを備えている。パルス検出手段５は、検出装置２が出力したパルスを検出すると、無線端末装置１ａに予め記憶されたパルスのパターンと照合して検出装置２を特定する。通信手段６が、パルス検出手段５によって特定された検出装置２に対し、通信を開始する。【選択図】図１
2010055407.tif 000002
【特許請求の範囲】
【請求項１】
複数の無線端末装置がそれぞれ検出装置と通信を行う通信方法において、
前記検出装置が備える、
検出手段が、前記無線端末装置を検出し、
パルス出力手段が、当該検出装置固有のパルスを、検出した前記無線端末装置に出力し、
前記無線端末装置が備える、
パルス検出手段が、前記パルスを検出すると、当該無線端末装置に予め記憶された前記パルスのパターンと照合して前記検出装置を特定し、
通信手段が、前記パルス検出手段によって特定された前記検出装置と通信を開始する、
ことを特徴とする通信方法。
【請求項２】
前記パルス出力手段は、前記通信手段によって開始された通信によって前記パルスの出力を中止し、検出した前記無線端末装置に充電電圧を供給することを特徴とする請求項１記載の通信方法。
【請求項３】
前記パルス出力手段は、前記無線端末装置の検出時に、当該検出装置が他の前記無線端末装置との間で通信処理を行っていない場合、前記パルスを出力することを特徴とする請求項１記載の通信方法。
【請求項４】
複数の無線端末装置と、前記複数の無線端末装置がそれぞれ通信を行う検出装置とを有する通信システムにおいて、
前記検出装置は、前記無線端末装置を検出する検出部と、
当該検出装置固有のパルスを、検出した前記無線端末装置に出力するパルス出力部とを有し、
前記無線端末装置は、
前記パルスを検出すると、当該無線端末装置に予め記憶された前記パルスのパターンと照合して前記検出装置を特定するパルス検出部と、
前記パルス検出部によって特定された前記検出装置と通信を開始する通信部とを有する、
ことを特徴とする通信システム。
【請求項５】
複数の無線端末装置と通信を行う検出装置において、
前記無線端末装置を検出する検出部と、
当該検出装置固有のパルスを、検出した前記無線端末装置に出力し、前記無線端末装置からの通知によって前記パルスの出力を中止し、検出した前記無線端末装置に充電電圧を供給するパルス出力部と、
を有することを特徴とする検出装置。
【請求項６】
検出装置と通信を行う無線端末装置において、
蓄電池と、
複数の前記検出装置のうち所定の前記検出装置が出力する固有のパルスを検出すると、当該無線端末装置に予め記憶された前記パルスのパターンと照合して前記検出装置を特定するパルス検出部と、
前記パルス検出部によって特定された前記検出装置と通信を開始する通信部と、
前記通信を開始した後に前記検出装置から供給される充電電圧にて前記蓄電池を充電する充電部と、
を有することを特徴とする無線端末装置。
【発明の詳細な説明】
【技術分野】
【０００１】
本発明は通信方法、通信システム、検出装置および無線端末装置に関し、特に、複数の無線端末装置がそれぞれ検出装置と通信を行う通信方法、通信システム、複数の無線端末装置と通信を行う検出装置および検出装置と通信を行う無線端末装置に関する。
【背景技術】
【０００２】
レストランや小売店等でクレジットカードを使用して決済を行う場合、一般的に決済用の端末装置が接続されているＰＯＳ（Point Of Sales system）が用いられることが多い。店員は、ＰＯＳに金額を入力した後に、端末装置のカードリーダー部分にクレジットカードを通し、クレジットカード会社への認証を行うことにより決済を行う。
【０００３】
このため、会計時には、顧客が直接ＰＯＳの設置場所に移動して決済を行うか、または、店員が顧客のクレジットカードを借りてＰＯＳの設置場所に移動して決済を行うことが一般的に行われている。
【０００４】
しかし、クレジットカードを店員に手渡した場合、顧客が見ていないところで不正が行われる可能性を払拭することはできないという問題がある。
そこで、無線の端末装置を用いて顧客の元で決済を行う方法が知られている（例えば、特許文献１参照）。
【特許文献１】特開平９−１１４８９２号公報
【発明の開示】
【発明が解決しようとする課題】
【０００５】
前述した方法によれば、例えばＰＯＳに金額を入力した後に、その金額が表示された無線の端末装置を用いて顧客の元で決済を行うことで不正を防止することができる。
しかしながら、ＰＯＳが複数個用意されている店舗では、自分が用いている端末装置が所望のＰＯＳに結びついているか（所望のＰＯＳと通信状態にあるか）を店員が判断する必要があり煩雑であった。
【０００６】
また、端末装置をＰＯＳ側が検出するようにした場合、構成が複雑になる等の問題があった。
本発明はこのような点に鑑みてなされたものであり、所望の機器と確実に通信を行うことができる通信方法、通信システム、検出装置および無線端末装置を提供することを目的とする。
【課題を解決するための手段】
【０００７】
上記目的を達成するために、複数の無線端末装置がそれぞれ検出装置と通信を行う通信方法が提供される。この通信方法は、以下の手段により実現される。
検出装置が備える、検出手段が、無線端末装置に充電電圧を供給可能であることを検出し、パルス出力手段が、当該検出装置固有のパルスを、検出した無線端末装置に出力し、無線端末装置が備える、パルス検出手段が、パルスを検出すると、予め記憶されたパルスのパターンと照合して検出装置を特定し、通信手段が、パルス検出手段によって特定された検出装置に対し、通信を開始する。
【０００８】
このような通信方法によれば、検出装置が備える検出手段により、無線端末装置に充電電圧を供給可能であることが検出されると、パルス出力手段により、当該検出装置固有のパルスが検出された無線端末装置に出力される。そして、無線端末装置が備えるパルス検出手段により、パルスが検出されると、予め記憶されたパルスのパターンと照合されて検出装置が特定される。そして、通信手段により、パルス検出手段によって特定された検出装置に対し、通信が開始される。
【発明の効果】
【０００９】
開示の通信方法によれば、端末装置が、特定の検出装置とだけ通信できる。
【発明を実施するための最良の形態】
【００１０】
以下、実施の形態を、図面を参照して詳細に説明する。
まず、実施の形態のシステムについて説明し、その後、実施の形態をより具体的に説明する。
【００１１】
図１は、実施の形態のシステムの概要を示す図である。
図１に示すシステムは、複数（図１では３つ）の無線端末装置１ａ〜１ｃと、検出装置２とを有している。無線端末装置１ａ〜１ｃは、それぞれ以下の方法により検出装置２と通信を行う。
【００１２】
検出装置２は、検出手段３とパルス出力手段４とを有している。
検出手段３は、無線端末装置１ａ〜１ｃが、例えば、検出装置２の図示しない支持部に支持されることによって、無線端末装置１ａ〜１ｃを検出する。
【００１３】
以下、無線端末装置１ａを検出した場合について説明する。
パルス出力手段４は、当該検出装置２固有のパルスを検出した無線端末装置１ａに出力する。
【００１４】
無線端末装置１ａ〜１ｃは、それぞれ、パルス検出手段５と通信手段６とを備えている。
パルス検出手段５は、検出装置２が出力したパルスを検出すると、無線端末装置１ａに予め記憶されたパルスのパターンと照合して検出装置２を特定する。
【００１５】
通信手段６が、パルス検出手段５によって特定された検出装置２に対し、通信を開始する。
これにより、図１では図示していないが、検出装置２が複数存在する場合であっても無線端末装置１ａ〜１ｃは、パルスを出力した検出装置２を容易かつ確実に判別することができ、パルスを出力した検出装置２とだけ通信を行うことができる。
【００１６】
以下、実施の形態をより具体的に説明する。
図２は、実施の形態のシステムを示す図である。
システム１００は、ＰＯＳ１１、１２と、クレードル（検出装置）２１、２２と、決済端末装置（無線端末装置）３１、３２と、センタ４０とを有している。
【００１７】
ＰＯＳ１１、１２は、店舗で商品を販売する毎に、商品の販売情報を記録する。例えば商品の情報を予め図示しないホストコンピュータに記録しておくと、販売時にバーコード情報等を元に商品情報を検索し、レシートに購入商品およびその金額を正確に記録する。
【００１８】
また、ＰＯＳ１１、１２は、現金による決済に加え、クレジットカードやデビットカード等による決済を選択することもできる。
カードによる決済が選択された場合は、決済端末装置３１または決済端末装置３２から決済が終了した情報を受け取る。
【００１９】
クレードル２１、２２は、それぞれ接続されたＰＯＳ１１、１２との通信機能を備えている。通信形態は特に限定されないが、例えば、ＲＳ−２３２Ｃ等が挙げられる。
また、クレードル２１、２２は、それぞれ、ネットワーク１０を介してセンタ４０との通信機能を備えている。
【００２０】
ネットワーク１０の種別は、特に限定されないが、例えば、電話回線（アナログ回線）やＩＳＤＮ（Integrated Services Digital Network）、ＬＡＮ（Local Area Network）等が挙げられる。
【００２１】
また、クレードル２１、２２は、それぞれ、決済端末装置３１または決済端末装置３２が載置されることで載置された決済端末装置３１または決済端末装置３２を支持する支持部２１ａ、２２ａを備えている。
【００２２】
クレードル２１、２２は、決済端末装置３１または決済端末装置３２が載置されることで、それぞれ載置された決済端末装置３１または決済端末装置３２と通信を行う通信機能並びに載置された決済端末装置３１または決済端末装置３２を充電する充電機能を備えている。なお、図２では、クレードル２１が決済端末装置３１と通信を行い、クレードル２２が決済端末装置３２と通信を行う例を示している。
【００２３】
なお、通信形態は特に限定されないが、例えば、Ｂｌｕｅｔｏｏｔｈ（登録商標）等が挙げられる。
決済端末装置３１、３２は、それぞれクレードル２１、２２に載置されることで、決済端末装置３１、３２が載置されたクレードル２１またはクレードル２２を判別する機能を備えている。
【００２４】
また、決済端末装置３１、３２は、それぞれ判別したクレードル２１、２２と無線通信する機能を備えている。例えば決済端末装置３１が、クレードル２１に載置された場合、決済端末装置３１はクレードル２１とのみ無線通信を行う。その後、決済端末装置３１がクレードル２２に載置された場合、クレードル２２とのみ無線通信を行う。
【００２５】
また、決済端末装置３１、３２は、それぞれ内部に設けられたバッテリで駆動する。これら決済端末装置３１、３２は、それぞれクレードル２１、２２に載置されることで、クレードル２１、２２の充電機能から電圧の供給を受けて、バッテリを充電する。
【００２６】
以下、説明を簡単にするために、決済端末装置３１がクレードル２１に載置された場合を例にとって説明する。
図３は、クレードルの機能を示すブロック図である。なお、図３では代表的にクレードル２１の機能を示しているが、クレードル２２もクレードル２１と同様の機能を有している。
【００２７】
クレードル２１は、端末検出部２１１と、充電電圧供給部２１２と、通信制御部２１３、２１４、２１５とを有している。
端末検出部２１１は、クレードル２１に決済端末装置３１が載置されたことを検出する。
【００２８】
充電電圧供給部２１２は、後述する条件を満たすことを条件に、載置された決済端末装置３１に充電用電圧を供給する。この充電用電圧は、載置された決済端末装置３１がクレードル２１を判別できるように、所定時間供給される固有のパルス電圧と、その後供給される一定電圧とで構成されている。
【００２９】
通信制御部２１３は、決済端末装置３１と通信するためのインタフェースである。決済端末装置３１から後述するパルス電圧の判別結果を受信すると、充電電圧供給部２１２に通知する。
【００３０】
また、決済端末装置３１との通信結果をＰＯＳ１１やセンタ４０に送信する。
通信制御部２１４は、ＰＯＳ１１と通信するためのインタフェースである。
通信制御部２１５は、センタ４０と通信するためのインタフェースである。
【００３１】
図４は、決済端末装置のハードウェア構成例を示す図である。
決済端末装置３１は、ＣＰＵ（Central Processing Unit）３１ａによって装置全体が制御されている。ＣＰＵ３１ａには、バス３１ｊを介してＲＡＭ（Random Access Memory）３１ｂ、Ｆｌａｓｈ−ＲＯＭ（Read Only Memory）３１ｃ、グラフィック処理装置３１ｄ、入力インタフェース３１ｆ、および通信インタフェース３１ｉが接続されている。
【００３２】
ＲＡＭ３１ｂには、ＣＰＵ３１ａに実行させるＯＳ（Operating System）のプログラムやアプリケーションプログラムの少なくとも一部が一時的に格納される。また、ＲＡＭ３１ｂには、ＣＰＵ３１ａによる処理に必要な各種データが格納される。Ｆｌａｓｈ−ＲＯＭ３１ｃには、ＯＳやアプリケーションプログラムが格納される。また、Ｆｌａｓｈ−ＲＯＭ３１ｃ内には、プログラムファイルが格納される。
【００３３】
グラフィック処理装置３１ｄには、モニタ３１ｅが接続されている。グラフィック処理装置３１ｄは、ＣＰＵ３１ａからの命令に従って、画像をモニタ３１ｅの画面に表示させる。入力インタフェース３１ｆには、テンキー３１ｇが接続されている。入力インタフェース３１ｆは、テンキー３１ｇから送られてくる信号を、バス３１ｊを介してＣＰＵ３１ａに送信する。
【００３４】
バッテリ３１ｈは、決済端末装置３１の電源回路３１ｋに接続され、各部に駆動用の電圧を供給する。
通信インタフェース３１ｉは、クレードル２１またはクレードル２２との間でデータの送受信を行う。
【００３５】
以上のようなハードウェア構成によって、本実施の形態の処理機能を実現することができる。なお、図４には決済端末装置３１のハードウェア構成を示したが決済端末装置３２についても同様のハードウェア構成で実現することができる。このようなハードウェア構成のシステムにおいてクレードル２１、２２と通信を行うために、決済端末装置３１内には、以下のような機能が設けられる。
【００３６】
図５は、決済端末装置の機能を示すブロック図である。なお、図５では代表的に決済端末装置３１の機能を示しているが、決済端末装置３２も決済端末装置３１と同様の機能を有している。
【００３７】
決済端末装置３１は、充電電圧検出部３１１と、充電パルスパターン記憶部３１２と、充電パルス判別部３１３と、判別クレードル情報格納部３１４と、通信制御部３１５と、決済部３１６と、充電部３１７とを有している。
【００３８】
充電電圧検出部３１１は、バッテリ３１ｈを充電する充電用電圧がクレードル２１またはクレードル２２から供給されていることを検出する。
充電パルスパターン記憶部３１２は、クレードル２１、２２それぞれが備える固有のパルス電圧のパターンを予め記憶している。
【００３９】
充電パルス判別部３１３は、充電用電圧がパルス電圧である場合に、充電パルスパターン記憶部３１２に記憶されているパルス電圧のパターンを参照してパルス電圧のパターンをチェックし、当該決済端末装置３１が載置されたクレードルが、クレードル２１、２２のいずれかを判別する。
【００４０】
判別クレードル情報格納部３１４は、充電パルス判別部３１３によって判別されたクレードル（以下、「判別クレードル」と言う）を識別する情報を格納する。
通信制御部３１５は、判別クレードルと通信するためのインタフェースであり、パルス電圧の判別結果を、判別クレードルに通知する。
【００４１】
決済部３１６は、ＰＯＳ１１に連動して動作する。具体的には、決済時に判別クレードルを介してセンタ４０との間でＰＯＳ１１に入力された売上金額の決済を行う。この際、クレジットカードを読み取り、決済情報をＰＯＳ１１に送信する。また、決済処理終了後、レシートの発行等も行う。
【００４２】
充電部３１７は、判別クレードルから供給される一定電圧によりバッテリ３１ｈを充電する。
次に、充電電圧供給部２１２およびクレードル２２が備える充電電圧供給部が供給する電圧について詳しく説明する。
【００４３】
図６は、充電電圧供給部が供給する電圧の一例を示す図である。
図６（ａ）に示すように、端末検出部２１１が、決済端末装置３１または決済端末装置３２を検出した時刻Ｔ１に、充電電圧供給部２１２は、検出用信号Ａおよび充電用電圧Ａを、検出した決済端末装置に供給する。
【００４４】
そして、時刻Ｔ１から所定時刻経過後の、決済端末装置３１からクレードルを判別したことを示す信号を受け取った時刻Ｔ２に、パルス電圧の供給を停止し、その後、一定電圧を供給する。
【００４５】
また、図６（ｂ）に示すように、クレードル２２の端末検出部が、決済端末装置３１または決済端末装置３２を検出した時刻Ｔ３に、クレードル２２の充電電圧供給部は、検出用信号Ｂおよび充電用電圧Ｂを、検出した決済端末装置に供給する。
【００４６】
ここで、充電用電圧Ｂは、パルス電圧の周期が充電用電圧Ａと異なっている。時刻Ｔ３から所定時刻経過後の、決済端末装置３１からクレードルを判別したことを示す信号を受け取った時刻Ｔ４に、パルス電圧の供給を停止し、その後、一定電圧を供給する。
【００４７】
次に、決済端末装置３１がクレードル２１に載置されたときに、決済端末装置３１がクレードル２１を判別する処理（判別処理）について説明する。
図７は、判別処理を示す処理フローである。
【００４８】
まず、決済端末装置３１が、クレードル２１に載置されると、端末検出部２１１が、決済端末装置３１を検出する（ステップＳ１）。
次に、充電電圧供給部２１２が、後述する処理を行い、検出用信号Ａおよび充電用電圧Ａを供給する（ステップＳ２）。
【００４９】
決済端末装置３１の充電電圧検出部３１１は、検出用信号Ａを検出すると、充電用電圧Ａが供給されていることを充電パルス判別部３１３に通知する。充電パルス判別部３１３は、充電パルスパターン記憶部３１２に記憶されているパルスパターンと、充電用電圧Ａのパルス電圧とを照合し、決済端末装置３１が載置されているクレードル２１を判別する（ステップＳ３）。
【００５０】
その後、判別したクレードル２１に対し、通信を開始して結果を通知する（ステップＳ４）。
結果を受信したクレードル２１は、パルス電圧を充電電圧（一定電圧）に切り替え、決済端末装置３１に供給する（ステップＳ５）。
【００５１】
以上で判別処理の説明を終了する。
次に、ステップＳ２の処理（パルス電圧供給処理）について詳しく説明する。
図８は、パルス電圧供給処理を示すフローチャートである。
【００５２】
まず、ＰＯＳ１１から受け取る決済情報に基づいて、他の決済端末装置が決済処理中か否かを判断する（ステップＳ１１）。
決済処理中ではない場合（ステップＳ１１のＮｏ）、パルス電圧を供給する（ステップＳ１２）。その後、図７に示すステップＳ３以降の処理を行う。
【００５３】
一方、決済処理中である場合（ステップＳ１１のＹｅｓ）、所定時間待機する（ステップＳ１３）。その後、ステップＳ１１に移行し、ステップＳ１１の処理を再び実行する。
以上でパルス電圧供給処理の説明を終了する。
【００５４】
次に、決済処理の一例を説明する。
図９は、決済処理の一例を示す図である。
まず、会計時に、顧客がクレジット決済を希望する旨を店員に伝えると、店員が顧客のテーブルから商品の情報が記載された伝票５１を持ち出し、例えばＰＯＳ１１にその商品の情報を読み込ませる。
【００５５】
ＰＯＳ１１は、読み込んだ情報に応じた金額を加算し、全ての商品の情報を読み込んだ後に総額を計算し、金額を呼び出す。
店員は、ＰＯＳ１１を操作してクレジット決済を選択し、クレードル２１に載置されている決済端末装置３１を取り外して顧客のテーブルへと移動する。
【００５６】
店員は、顧客からクレジットカード５２を受け取ると、その場で決済端末装置３１にカード情報を読み込ませる。そして、顧客がテンキー３１ｇを操作して予め定められた暗証番号を入力する。これにより、センタ４０との間で決済処理が行われる。
【００５７】
決済終了後、店員は総額が記載されたレシート６１を顧客に渡す。
次に、図９に示す決済処理における各装置の具体的な処理を説明する。
図１０は、決済処理の具体例を示す図である。
【００５８】
まず、決済端末装置３１がクレードル２１に載置されると、判別処理が行われる。
その後、会計時に、店員が顧客のテーブルから商品が記載された伝票を持ち出しＰＯＳ１１にその伝票に記載された内容を打ち込む、または、読み込ませる（ステップＳ２１）。
【００５９】
伝票に記載された金額がＰＯＳ１１に打ち込まれる、または、読み込まれることで、処理金額が決定される（ステップＳ２２）。
その後、店員の操作により、ＰＯＳ１１がクレジット決済を選択すると、ＰＯＳ１１が金額およびクレジット決済である旨をクレードル２１に通知し（ステップＳ２３）、クレードル２１が、現在クレードル２１に載置されている決済端末装置３１に金額およびクレジット決済である旨を通知する（ステップＳ２４）。
【００６０】
そして、店員により、決済端末装置３１がクレードル２１から取り外され、客席に持ち運ばれる。そして、顧客から受け取ったクレジットカードのカード情報が決済端末装置３１に読み込まれ（ステップＳ２５）、顧客により暗証番号が入力されると（ステップＳ２６）、決済部３１６が、クレジットカードのカード情報が埋め込まれた部位を読み取り、クレードル２１にカード情報を送信する（ステップＳ２７）。
【００６１】
クレードル２１の通信制御部２１４は、センタ４０にカード情報を送信する（ステップＳ２８）。
その後、クレードル２１を介してセンタ４０から決済終了の応答を受信すると（ステップＳ２９、Ｓ３０）、決済部３１６はレシートを発行する（ステップＳ３１）。このレシートは、店員によって顧客に渡される。
【００６２】
また、決済部３１６は、センタ４０との処理結果を、クレードル２１を介してＰＯＳ１１に通知する（ステップＳ３２、Ｓ３３）。
以上で処理の説明を終了する。
【００６３】
以上述べたように、本実施の形態のシステム１００によれば、決済端末装置３１、３２は、判別処理を行うことにより、特定のクレードル２１、２２とだけ通信することができる。
【００６４】
また、決済端末装置とクレードルとを予め関連づけずに、決済端末装置がクレードルに載置された際に決済端末装置が載置されたクレードルを判別するようにしたので、決済端末装置３１、３２をクレードル２１、２２のどちらに載置した場合でも使用することができる。また、関連づけるための特別な操作は不要であるため、店員は、余分な手間を省くことができる。
【００６５】
また、クレードル側に判別機能を設けた場合は、他のクレードルに決済端末装置が載置された場合、当該クレードルと決済端末装置との関連づけを解消する手段が必要となるが、本実施の形態では、決済端末装置側でクレードルを判別するようにしたので、構成を簡易なものとすることができる。
【００６６】
また、パルス電圧供給処理を行うことにより、決済端末装置３１が決済処理を実行しているときは、決済端末装置３２に対しパルス電圧を供給しないようにした。これにより、常に１つの決済端末装置との間で決済処理が行われることになるため、例えば図１０における決済処理の際、決済情報を送信した決済端末装置が決済端末装置３１か否かを確認する処理等を省略することができる。
【００６７】
なお、本実施の形態のシステム１００では、決済端末装置３１、３２は、特定のクレードル２１、２２とだけ通信する機能を決済処理に使用する場合について説明したが、本発明はこれに限定されない。
【００６８】
以上、本発明の通信方法、通信システム、検出装置および無線端末装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００６９】
また、本発明は、前述した実施の形態のうちの、任意の２以上の構成（特徴）を組み合わせたものであってもよい。
なお、上記の処理機能は、コンピュータによって実現することができる。その場合、決済端末装置３１、３２が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等が挙げられる。磁気記録装置としては、例えば、ハードディスク装置（ＨＤＤ）、フレキシブルディスク（ＦＤ）、磁気テープ等が挙げられる。光ディスクとしては、例えば、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等が挙げられる。光磁気記録媒体としては、例えば、ＭＯ（Magneto-Optical disk）等が挙げられる。
【００７０】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００７１】
上記プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【図面の簡単な説明】
【００７２】
【図１】実施の形態のシステムの概要を示す図である。
【図２】実施の形態のシステムを示す図である。
【図３】クレードルの機能を示すブロック図である。
【図４】決済端末装置のハードウェア構成例を示す図である。
【図５】決済端末装置の機能を示すブロック図である。
【図６】充電電圧供給部が供給する電圧の一例を示す図である。
【図７】判別処理を示す処理フローである。
【図８】パルス電圧供給処理を示すフローチャートである。
【図９】決済処理の一例を示す図である。
【図１０】決済処理の具体例を示す図である。
【符号の説明】
【００７３】
１ａ〜１ｃ  無線端末装置
２  検出装置
３  検出手段
４  パルス出力手段
５  パルス検出手段
６  通信手段
１０  ネットワーク
１１  ＰＯＳ
２１、２２  クレードル
３１、３２  決済端末装置
４０  センタ
１００  システム
２１１  端末検出部
２１２  充電電圧供給部
２１３、２１４、２１５  通信制御部
３１１  充電電圧検出部
３１２  充電パルスパターン記憶部
３１３  充電パルス判別部
３１４  判別クレードル情報格納部
３１５  通信制御部
３１６  決済部
３１７  充電部
【図１】
2010055407.tif 000003
【図２】
2010055407.tif 000004
【図３】
2010055407.tif 000005
【図４】
2010055407.tif 000006
【図５】
2010055407.tif 000007
【図６】
2010055407.tif 000008
【図７】
2010055407.tif 000009
【図８】
2010055407.tif 000010
【図９】
2010055407.tif 000011
【図１０】
2010055407.tif 000012